(57)【要約】【課題】  次回運転時の損紙発生を抑制することができる断裁位置見当調整方法および印刷機を提供すること。【解決手段】  断裁見当を制御するコンペンセータローラ５３を備えた印刷機を制御する断裁位置見当調整方法において、運転終了時の前記コンペンセータローラ５３による断裁見当位置を記憶し、この断裁見当位置を次回の断裁見当位置としてコンペンセータローラ５３をプリセットする。より詳細には、初版運転終了時の速度が、次版の運転開始時に色見当合わせを行なう際の色合わせ速度に対して２０増以上４０％増以下の速度範囲内で前記断裁見当位置を記憶する。【選択図】    図１
2008105278.tif 000002
【特許請求の範囲】
【請求項１】
コンペンセータローラによりウェブの断裁見当を制御する印刷機の断裁位置見当調整方法において、
運転終了時の前記コンペンセータローラによる断裁見当位置を記憶し、この断裁見当位置を次回の断裁見当位置として前記コンペンセータローラをプリセットする、断裁位置見当調整方法。
【請求項２】
前記運転終了時は、初版運転の終了時であり、前記次回運転時は、次版運転時である、請求項１に記載の断裁位置見当調整方法。
【請求項３】
前記断裁見当位置を記憶する前記運転終了時の速度が、次回の運転開始時に色見当合わせを行なう際の色合わせ速度に対して２０％増以上４０％増以下の速度範囲内である、請求項１または２に記載の断裁位置見当調整方法。
【請求項４】
ウェブの断裁見当を制御するコンペンセータローラを備えた印刷機において、
運転終了時の減速状態下で前記コンペンセータローラによる断裁見当位置を記憶すると共に、前記記憶された断裁見当位置を用いて次回運転時に前記コンペンセータローラの断裁見当位置をプリセットするコンペンセータローラ制御装置を備えた、印刷機。
【請求項５】
前記運転終了時は、初版運転の終了時であり、前記次回運転時は、次版運転時である、請求項４に記載の印刷機。
【請求項６】
前記印刷機は、運転開始時に色合わせ速度にて色見当合わせを行なうものであり、前記コンペンセータローラ制御装置は、前記運転終了時に、前記色合わせ速度の２０％増以上４０％増以下の速度範囲内における前記断裁見当位置を記憶する、請求項４または５に記載の印刷機。
【発明の詳細な説明】
【技術分野】
【０００１】
本発明は、断裁位置見当調整方法およびそれを利用する印刷機に関する。
【背景技術】
【０００２】
一般的に、多色刷り可能な印刷機としては、ウェブを供給する給紙装置、ウェブに適正な張力を付与するインフィード装置、印刷装置、印刷後のウェブを折機まで搬送すると共に、ウェブの重ねや、流れ方向印刷位置合わせなどを行なうウェブ搬送装置、ウェブを断裁し折って折丁として搬出する折機により構成されている。このような印刷機においては、印刷装置で印刷した印刷物の絵柄位置に対応して折機にて所定のウェブ長に断裁され、折帳となる。その断裁位置は、ウェブ搬送装置に設けられているコンペンセータローラの位置を、電動機またはその他のアクチュエータにより移動させ、適正な位置に調節制御している（例えば、特許文献１参照）。上記コンペンセータローラの位置は、ウェブへの印刷が始まってから確認し調節するので、初期のプリセット位置が適正値から大きくずれていると、その位置調整に時間が掛かり、調節中の印刷物の損紙が多くなる。
【０００３】
そこで、過去に使用した実績のある同一の建頁を印刷する場合、印刷開始前に、断裁位置を合わせるために初版印刷では予め記憶しておいたコンペンセータローラ位置にプリセットしてそれを微調整することが一般的に行われている。これにより、断裁見当調整時間を短縮し、損紙をできるだけ少なくなるようにしている。
また、新聞印刷では、その日の建頁（すなわち、紙通し）は同一で、時間によって内容（版）が変化する。このため、新聞用の輪転印刷機は版交換の間だけ停止するだけで連続運転される。
【特許文献１】特開２００４−１８１９２号公報
【発明の開示】
【発明が解決しようとする課題】
【０００４】
しかしながら、一旦運転を停止し、刷版を交換して再度立ち上げる場合（次版）、初版運転時に減速・停止したときのコンペンセータローラ位置のままとなっている。この状態で輪転印刷機と同様にコンペンセータローラ位置をプリセットすると、初版と比較して紙が伸びやすい状態となっているなど、運転条件が大きく異なるために断裁位置がずれてしまう。このため、前回と同じコンペンセータローラ位置のプリセット値をそのまま用いると、ずれが大きくなり、その調整に時間を要するので、その分損紙が増大する。
【０００５】
上記事情に鑑み、本発明は、次版運転時の損紙発生を抑制することができる断裁位置見当調整方法および印刷機を提供することを目的とする。
【課題を解決するための手段】
【０００６】
上記目的を達成するため、本発明の断裁位置見当調整方法は、コンペンセータローラによりウェブの断裁見当を制御する印刷機の断裁位置見当調整方法において、運転終了時の前記コンペンセータローラによる断裁見当位置を記憶し、この断裁見当位置を次回の断裁見当位置として前記コンペンセータローラをプリセットするものである。
【０００７】
また、本発明の印刷機は、ウェブの断裁見当を制御するコンペンセータローラを備えた印刷機において、運転終了時の減速状態下で前記コンペンセータローラによる断裁見当位置を記憶すると共に、前記記憶された断裁見当位置を用いて次回運転時に前記コンペンセータローラの断裁見当位置をプリセットするコンペンセータローラ制御装置を備えたものである。
【０００８】
運転を終了した後、次の運転を開始する際には、前回と比較して紙が伸びやすい状態となっている。このため、前回と同じコンペンセータローラのプリセット値をそのまま用いると、ずれが大きくなり、損紙が増大する。本発明では、用紙の状態が次回運転時とほぼ等しい前回の減速時におけるコンペンセータローラの現在値を取り込み、これを次回のプリセット値として用いる。これにより、次版運転時における断裁位置の位置合わせが迅速に行なわれ、立ち上げ時の損紙を低減することができる。
【０００９】
請求項２に記載の断裁位置見当調整方法は、請求項１に記載の断裁位置見当調整方法において、前記運転終了時は、初版運転の終了時であり、前記次回運転時は、次版運転時である。
【００１０】
また、請求項５に記載の印刷機は、請求項４に記載の印刷機において、前記運転終了時は、初版運転の終了時であり、前記次回運転時は、次版運転時である。
【００１１】
初版とその次の次版とでは、用紙の状態が特に大きく異なるため、効果的に損紙発生を抑制できる。
【００１２】
請求項３に記載の断裁位置見当調整方法は、請求項１または２に記載の断裁位置見当調整方法において、前記断裁見当位置を記憶する前記運転終了時の速度が、次回の運転開始時に色見当合わせを行なう際の色合わせ速度に対して２０増以上４０％増以下の速度範囲内である。
【００１３】
また、請求項６に記載の前記印刷機は、請求項４または５に記載の印刷機において、前記印刷機は、運転開始時に色合わせ速度にて色見当合わせを行なうものであり、前記コンペンセータローラ制御装置は、前記運転終了時に、前記色合わせ速度の２０％増以上４０％増以下の速度範囲内における前記断裁見当位置を記憶する。
【００１４】
本発明者らは、運転終了の減速時（色合わせ速度の２０％増以上４０％増以下の速度時）におけるウェブの状態と、次回運転時の色合わせ速度におけるウェブの状態とが統計的にほぼ等しいことを知見した。そこで、本発明では、運転終了の減速時（色合わせ速度の２０％増以上４０％増以下の速度時）におけるコンペンセータローラの現在値を取り込み、これを次版のプリセット値として用いる。これにより、次版運転時における断裁位置の位置合わせが迅速に行なわれ、立ち上げ時の損紙をより効果的に低減することができる。
【発明の効果】
【００１５】
ウェブの状態が次回運転時とほぼ等しい前回の減速時におけるコンペンセータローラの現在値を取り込み、これを次回のプリセット値として用いることにより、次版運転時における断裁位置の位置合わせが迅速に行なわれ、立ち上げ時の損紙を低減することができる。
【発明を実施するための最良の形態】
【００１６】
以下、図面を参照して本発明の一実施形態について説明する。本実施形態は、本発明を多頁両面印刷の新聞輪転機に適用したものである。図１は、多頁両面印刷・多色印刷装置付のオフセット新聞輪転機の全体概略構成を示す模式図である。輪転機には、ウェブ７を供給する複数の給紙装置１と、ウェブ７に適正な張力を付与するインフィード装置２と、印刷装置３と、印刷後のウェブ７を折機６まで搬送すると共に、ウェブ７の重ねや、流れ方向印刷位置合わせなどを行なうウェブ搬送装置５と、ウェブ７を断裁し折って折丁として搬出する折機６と、輪転機全体を制御する輪転機制御装置９とが備えられている。
【００１７】
給紙装置１には、ウェブ７がロール状に巻かれた巻取紙が３本保持できるように構成されている。一の巻き取り紙から給紙されている場合に、二の巻き取り紙が紙継ぎ準備状態にあり、三の巻取紙が装着される。一の巻取紙のウェブ７が残り少なくなると、二の巻取紙のウェブ７に紙継ぎされる。二の巻取紙からウェブ７が供給されている間に一の巻取紙が装着され紙継ぎ準備がなされる。このようにして、ウェブ７は給紙装置１から印刷装置３へ連続的に繰り出されることになる。
【００１８】
印刷装置３は印刷色数に対応するユニット数が設けられる。本実施形態では、印刷装置３として印刷装置３ａ〜３ｄが設けられており、印刷装置３ａ、３ｂはウェブ両面とも印刷ユニットが４ユニット設けられ、それぞれ墨、藍、紅、黄を印刷し、これらの混色を利用してカラー印刷を行なう。印刷装置３ｃ、３ｄは同様に印刷ユニットが２ユニット設けられており墨と単色を印刷する。
【００１９】
印刷装置３ａを代表にその概略構造を説明すると、墨、藍、紅、黄の四色それぞれの印刷ユニットによりウェブ７に対して印刷が行われる。ここでウェブ７に対して印刷とは、連続して流れるウェブ７上における同一領域に対する印刷といった意味である。このようにして、各色が同一領域上で重ね合わされることで一の絵柄が構成され、当該一の絵柄に関する多色刷りが可能となっている。また、ウェブ７上には、本来の絵柄とともに、見当ずれを計測するため、各色の見当調整用の特殊なマーク（以下、見当マークという）が併せて印刷されるようになっている。
見当マークは、各印刷装置３の出口に備えられた図示しないカメラ等の検出手段によって検出され、輪転機制御装置９により処理されるようになっている。
【００２０】
印刷装置３ａを構成する各印刷ユニットには、インキローラ、版胴２５等の各種ローラ形態となる機器が備えられており、これら各種機器には共通のモータにより動力が供給されるようになっている。
また、版胴２５の見当調整を行なうための図示しない駆動装置が各色に独立して設けられており、さらに版胴２５には版胴２５の見当位置を検出する図示しないポテンショメータが設けられている。
なお、版胴２５の位置検出に用いられる版胴位置検出手段としてはポテンショメータに限定されるものではない。
【００２１】
断裁制御用のカットマークが併せて印刷されるようになっている。
なお、カットマークは絵柄の中に適当な部分があればその部分をカットマークと設定されることもある。
【００２２】
なお、印刷装置３ｂ〜３ｄについても同様の構成であり、ここでは重複した説明を省略する。
また、これらの印刷装置は例示であり、両面単色印刷を行なう単色刷印刷装置、一面４色他面２色印刷を行なう印刷装置等、適宜な印刷装置を用いることができる。
【００２３】
印刷装置３は、それぞれ給紙装置１から供給されるウェブ７に所定の印刷を行ない、ウェブ搬送装置５へ供給する。ウェブ搬送装置５は多数のターンバー５１を備えており、印刷装置３からのウェブ７の走行ルートを変更し、その重なり順番を変えられるように構成されている。ウェブ７の幅は通常新聞の４ページ幅で、図に示すものは、印刷後幅方向中央をスリッタで切断し、ターンバー５１で幅方向一方側の２ページ幅を、他方の２ページ幅側に重ねるようにしている。このようにして、折機に入ったウェブ７は８枚重なり、幅２ページの両面で４ページの新聞が８枚重なった３２ページの印刷物を折機６片側に排出する構成となっている。
【００２４】
折機６は、ウェブ搬送装置５から送られる複数のウェブ７を重ねて、縦切断したり、三角板により縦折りしたり、さらに横切断、横折りしたりし、所望の折帳として排出するように構成されている。
【００２５】
なお、印刷後幅方向中央をスリッタで切断し、一方を他方に重ねるのではなく、そのまま折機６に導入すると１６ページの新聞を両側に排出できるようになる。また、カラー印刷できる印刷装置３ａ、３ｂで印刷したウェブをどの位置にでも切り換えて配送できる装置もあるが、図示を省略する。さらにページ数を増やす場合は隣接する印刷装置からウェブ７を導入したり、ページ数が少ない場合、例えば印刷装置３を３台使う場合、どの３台にするかにより同じ印刷装置３で印刷したウェブ７であっても折機６までの通路が相違する。
【００２６】
このように、運転パターンによって印刷装置３から折機６までのウェブ７長さが変わることがある。すなわち、印刷位置に対して折機６による断裁位置が変わるため、本実施形態の輪転機は位置調整を行なうコンペンセータローラ５３を備える。コンペンセータローラ５３には、それを移動させる移動手段５２、支持手段および、例えば、ポテンショメータ等の位置検出装置が備えられている。
カットマークは、コンペンセータローラ５３を通過した部分に備えられているマーク検出器５４によって検出されるように構成されている。
なお、図１ではマーク検出器５４を一箇所に示しているだけであるが、マーク検出器５４は各ウェブ７に対応して設けられている。
マーク検出器５４および位置検出装置の情報は、後述するコンペンセータローラ制御装置８および輪転機制御装置９に送られ、断裁見当調整に用いられるようにされている。
【００２７】
さらに、コンペンセータローラ５３の位置を制御するコンペンセータローラ制御装置８が設けられている。コンペンセータローラ制御装置８は、入力装置８１、記憶部８２、演算装置８３、制御装置８４および出力装置８５からなっている。入力装置８１に輪転機制御装置９から印刷条件（紙通しルート、ウェブ張力、運転パターンなど）が取り込まれ、制御装置８４で記憶部８２の前記印刷条件データと照合させ、対応するプリセット値Ａを取り出し、出力装置８５から輪転機制御装置９へコンペンセータローラのプリセット値Ａを送信し、コンペンセータローラ５３位置のプリセットを行なう。
【００２８】
次に、輪転機の運転について図２を参照して説明する。まず、印刷開始前に印刷条件が決定され、輪転機制御装置９により運転パターンが決められ、この運転パターンに沿って輪転機が輪転機制御装置９により制御される。
【００２９】
運転パターンが決定後、コンペンセータローラ制御装置８によってコンペンセータローラ５３が該当する位置にプリセットされる。より詳細には、コンペンセータローラ５３はその移動手段５２および位置検出装置により位置合わせされる。これにより運転が開始される。まず緩動運転が行なわれる（ａ）。輪転機制御装置９によって、印刷装置３ａ〜３ｄの各色に対応したユニットの版胴２５が見当位置にプリセットされる。
【００３０】
次いで回転速度を上げて刷り出しが開始され（ｂ）、その後刷版の交換や印刷準備が整うと色合わせ速度（例えば６万部／時の速度）で運転しながらインキおよび水の調整をすると同時にコンペンセータローラ５３により、印刷絵柄に対する折機６の断裁位置の調整を開始する（ｃ）。
断裁見当の調整は、輪転機の回転タイミングと、マーク検出器５４によるカットマークの検出タイミングとの位相差が所定の範囲に収まるように移動手段５２によってコンペンセータローラ５３の位置を調整する。
紙面上の検知用マークが安定して印刷される速度（色合わせ速度、例えば、６万部／時間）から色合わせのための自動見当調整を開始する。自動見当調整では、紙面上に印刷された各色の検知用マークを不図示のカメラにより認識、画像処理し、版胴を位置合わせする。自動見当調整開始から所定時間内に自動見当調整は終了（整面終了）し、良紙が得られた時点から所定時間後に版胴２５の加速を開始する（ｄ）。そして、印刷速度、例えば、１６万部／時間、で印刷運転が行われる。
【００３１】
印刷部数が所定数に達すると、印刷運転は終了され、輪転機は急速に減速される。この、減速中の段階でコンペンセータローラ５３の現在値Ｂを取り込む。詳細には、色合わせ速度（６万枚／時）の＋２０％以上４０％以下（例えば８万枚／時）の段階で輪転機制御装置９から入力装置８１に取り込み、記憶部８２に記憶する。
【００３２】
印刷終了後、次版の印刷時に、記憶部８２に記憶されているコンペンセータローラ５３の現在値Ｂをプリセット値としてコンペンセータローラ５３の位置をプリセットする。なお、次版の運転については上記と同様であるため、重複した説明を省略する。
【００３３】
さらに次版終了時も、減速時のコンペンセータローラ５３の現在値Ｃを取り込み、次々版におけるプリセット値として用いる。
【００３４】
このように、減速中における比較的高速運転時のコンペンセータローラ５３位置を取り込んで次版のプリセット値とするため、断裁ずれ範囲を狭く抑えることが可能となる。すなわち、次版の運転時には、初版時と比較して紙が伸びやすい状態となっているため、初版時のプリセット値Ａを次版時のプリセット値として用いると、ずれが大きくなり、損紙が増大する。
本実施形態では、次版の色合わせ速度と状態がほぼ等しい初版の減速時（色合わせ速度の＋２０〜４０％の速度時）におけるコンペンセータローラ５３の現在値を取り込み、これを記憶部８２に記憶し、次版印刷のプリセット値として用いる。これにより、次版運転時における断裁位置の位置合わせが迅速に行なわれ、立ち上げ時の損紙を低減することができる。
【００３５】
また、緊急停止時などで高速域から停止した場合でも、前々回のコンペンセータローラ５３のプリセットデータが記憶部８２に記憶されているため、当該プリセット値を用いて次回の運転開始時におけるコンペンセータローラ５３位置のプリセットが可能となり、損紙の低減に貢献する。
【図面の簡単な説明】
【００３６】
【図１】本発明の一実施形態に係る輪転機の概略構成を示した模式図である。
【図２】同輪転機による運転速度を示した図である。
【符号の説明】
【００３７】
３  印刷装置
８  コンペンセータローラ制御装置
９  輪転機制御装置
５３  コンペンセータローラ
【図１】
2008105278.tif 000003
【図２】
2008105278.tif 000004